【手続補正書】
【提出日】平成18年7月18日(2006.7.18)
【手続補正１】
【補正対象書類名】明細書
【補正対象項目名】特許請求の範囲
【補正方法】変更
【補正の内容】
【特許請求の範囲】
【請求項１】少なくとも帯電部材に対し直流成分に交流成分を重畳した電圧を印加することにより、感光体に帯電を与える帯電手段、画像露光手段、現像手段、転写手段、クリーニング手段および画像形成における感光体１００００回転あたりの摩耗量が０．１μｍ以下の耐摩耗性を有する表面保護層を設けた電子写真感光体を具備してなる画像形成要素を複数配列したフルカラー画像形成装置であって、各画像形成要素における有色トナー画像形成に用いられる画像露光手段と転写手段との間に、前記画像露光に基づく現像を行う有色トナー現像手段と、有色トナーの非画像形成領域を透明トナーにより現像する現像手段を設け、更に複数の画像形成要素のうち、最初に中間転写体へのトナー転写を行う画像形成要素における前記有色トナー現像手段と転写手段の間に、白色トナーを現像する現像手段を有することを特徴とするフルカラー画像形成装置。
【請求項２】前記画像形成要素中の有色トナー現像手段と透明トナー現像手段との間に、第２の画像露光手段を設け、有色トナーの非画像形成領域に画像露光を行い、透明トナーを現像することを特徴とする請求項１に記載のフルカラー画像形成装置。
【請求項３】少なくとも前記第２の画像露光手段が、半導体レーザ（ＬＤ）あるいは発光ダイオード（ＬＥＤ）によって感光体上に静電潜像の書き込みを行うことを特徴とする請求項２に記載のフルカラー画像形成装置。
【請求項４】前記透明トナーの現像が、非接触状態で行われることを特徴とする請求項１乃至３項のいずれかに記載のフルカラー画像形成装置。
【請求項５】白色トナー現像手段を有する画像形成要素において、全ての画像形成要素における有色トナーの非画像形成領域に白色トナーを現像することを特徴とする請求項１乃至４項に記載のフルカラー画像形成装置。
【請求項６】前記白色トナー現像手段を有する画像形成要素中の有色トナー現像手段と白色トナー現像手段との間に、第３の画像露光手段を設け、感光体全面に光照射を行い、次いで白色トナーによる現像を行うことを特徴とする請求項５に記載のフルカラー画像形成装置。
【請求項７】前記フルカラー画像形成装置において、第３の画像露光手段による書き込みを、有色トナー像および透明トナー像露光を行わない部分にのみ行うことを特徴とする請求項５に記載のフルカラー画像形成装置。
【請求項８】少なくとも前記第３の画像露光手段が、ＬＤあるいはＬＥＤによって感光体上に静電潜像の書き込みを行うことを特徴とする請求項６又は７に記載のフルカラー画像形成装置。
【請求項９】前記白色トナーの帯電極性が有色トナーおよび透明トナーの帯電極性と逆極性であることを特徴とする請求項１乃至５に記載のフルカラー画像形成装置。
【請求項１０】前記白色トナーの現像が、非接触状態で行われることを特徴とする請求項５乃至９項のいずれかに記載のフルカラー画像形成装置。
【請求項１１】前記有色トナー画像形成に用いられる画像露光手段がＬＤあるいはＬＥＤによって感光体上に静電潜像の書き込みを行うものであり、入力原稿の向きに依らず出力する紙の長手方向を感光体の長手方向に揃えて画像出力することを特徴とする請求項１乃至１０のいずれかに記載のフルカラー画像形成装置。
【請求項１２】前記画像形成装置において、感光体長手方向の有効画像形成領域の長さよりも出力する紙の長手方向の長さが短い場合にも出力する紙の範囲外にも透明トナーを現像することを特徴とする請求項１１に記載のフルカラー画像形成装置。
【請求項１３】前記帯電手段が帯電部材を感光体に非接触近接配置したものであることを特徴とする請求項１乃至１２のいずれかに記載の画像形成装置。
【請求項１４】前記帯電部材と感光体間の空隙が２００μｍ以下であることを特徴とする請求項１３に記載の画像形成装置。
【請求項１５】前記画像形成要素に用いられる有色トナー、透明トナーおよび白色トナーのいずれにもワックス類を含有し、両者に含有されるワックス類の含有量がほぼ同一であることを特徴とする請求項１乃至１４のいずれかに記載のフルカラー画像形成装置。
【請求項１６】前記画像形成要素に用いられる有色トナー、透明トナーおよび白色トナーのいずれにも滑剤を含有し、両者に含有される滑剤量がほぼ同一であることを特徴とする請求項１乃至１４のいずれかに記載のフルカラー画像形成装置。
【請求項１７】前記滑剤がステアリン酸亜鉛であることを特徴とする請求項１６に記載のフルカラー画像形成装置。
【請求項１８】前記画像形成要素に用いられる有色トナー、透明トナーおよび白色トナーのいずれにも流動化剤を含有し、両者に含有される流動化剤量がほぼ同一であることを特徴とする請求項１乃至１４のいずれかに記載のフルカラー画像形成装置。
【請求項１９】前記電子写真感光体の保護層に比抵抗１０10Ω・ｃｍ以上の無機顔料又は金属酸化物を含有することを特徴とする請求項１乃至１８のいずれかに記載のフルカラー画像形成装置。
【請求項２０】前記金属酸化物が、比抵抗１０10Ω・ｃｍ以上のアルミナ、酸化チタン、シリカのいずれかであることを特徴とする請求項１９に記載のフルカラー画像形成装置。
【請求項２１】前記金属酸化物が、比抵抗１０10Ω・ｃｍ以上のα−アルミナであることを特徴とする請求項２０に記載のフルカラー画像形成装置。
【請求項２２】前記保護層に高分子電荷輸送物質を含有することを特徴とする請求項１９乃至２１のいずれかに記載のフルカラー画像形成装置。
【請求項２３】前記電子写真感光体に含有される電荷発生物質が、下記（XI）式で表されるアゾ顔料であることを特徴とする請求項１乃至２２の何れかに記載のフルカラー画像形成装置。
【化１】
2005031223.tif 000001
式中、Ｃｐ１，Ｃｐ２はカップラー残基を表す。 Ｒ２０１，Ｒ２０２はそれぞれ、水
素原子、ハロゲン原子、アルキル基、アルコキシ基、シアノ基のいずれかを表し、同一で
も異なっていても良い。またＣｐ１，Ｃｐ２は下記（XII）で表され、
【化２】
2005031223.tif 000002
式（XII）中、Ｒ２０３は、水素原子、炭素数が１〜４のアルキル基、アリール基を表
す。Ｒ２０４，Ｒ２０５，Ｒ２０６，Ｒ２０７，Ｒ２０８はそれぞれ、水素原子、ニトロ基、シアノ基、ハロゲン原子、トリフルオロメチル基、炭素数が１〜４のアルキル基、炭素数が１〜４のアルコキシ基、ジアルキルアミノ基、水酸基を表し、Ｚは置換もしくは無置換の芳香族炭素環または置換もしくは無置換の芳香族複素環を構成するのに必要な原子群を表す。
【請求項２４】前記アゾ顔料のＣｐ１とＣｐ２が互いに異なるものであることを特徴とする請求項２３に記載のフルカラー画像形成装置。
【請求項２５】前記電子写真感光体に含有される電荷発生物質が、ＣｕＫαの特性Ｘ線（波長１．５４２Å）に対するブラッグ角２θの回折ピーク（±０．２゜）として、少なくとも２７．２゜に最大回折ピークを有するチタニルフタロシアニンであることを特徴とする請求項１乃至２２の何れかに記載のフルカラー画像形成装置。
【請求項２６】前記チタニルフタロシアニンが、ＣｕＫαの特性Ｘ線（波長１．５４２Å）に対するブラッグ角２θの回折ピーク（±０．２゜）として、更に９．４゜、９．６゜、２４．０゜に主要なピークを有し、かつ最も低角側の回折ピークとして７．３゜にピークを有し、７．３゜のピークと９．４゜のピークの間にピークを有さず、かつ２６．３゜にピークを有さないことを特徴とする請求項２５に記載のフルカラー画像形成装置。
【請求項２７】前記電子写真感光体の導電性支持体表面が、陽極酸化皮膜処理されたものであることを特徴とする請求項１乃至２６のいずれかに記載のフルカラー画像形成装置。
【請求項２８】前記フルカラー画像形成装置において、少なくとも感光体が、帯電手段、露光手段、クリーニング手段の中から選ばれた１つの手段と共に１つのユニットに収納されたカートリッジ形態からなることを特徴とする請求項１乃至２７のいずれかに記載のフルカラー画像形成装置。
【手続補正２】
【補正対象書類名】明細書
【補正対象項目名】００２６
【補正方法】変更
【補正の内容】
【００２６】
従って、上記課題は、本発明の（１）「少なくとも帯電部材に対し直流成分に交流成分を重畳した電圧を印加することにより、感光体に帯電を与える帯電手段、画像露光手段、現像手段、転写手段、クリーニング手段および画像形成における感光体１００００回転あたりの摩耗量が０．１μｍ以下の耐摩耗性を有する表面保護層を設けた電子写真感光体を具備してなる画像形成要素を複数配列したフルカラー画像形成装置であって、各画像形成
要素における有色トナー画像形成に用いられる画像露光手段と転写手段との間に、前記画像露光に基づく現像を行う有色トナー現像手段と、有色トナーの非画像形成領域を透明トナーにより現像する現像手段を設け、更に複数の画像形成要素のうち、最初に中間転写体へのトナー転写を行う画像形成要素における前記有色トナー現像手段と転写手段の間に、白色トナーを現像する現像手段を有することを特徴とするフルカラー画像形成装置」、（２）「前記画像形成要素中の有色トナー現像手段と透明トナー現像手段との間に、第２の画像露光手段を設け、有色トナーの非画像形成領域に画像露光を行い、透明トナーを現像することを特徴とする前記第（１）項記載のフルカラー画像形成装置」、（３）「少なくとも前記第２の画像露光手段が、ＬＤあるいはＬＥＤによって感光体上に静電潜像の書き込みを行うことを特徴とする前記第（２）項に記載のフルカラー画像形成装置」、（４）「前記透明トナーの現像が、非接触状態で行われることを特徴とする前記第（１）項乃至第（３）項のいずれかに記載のフルカラー画像形成装置」、（５）「白色トナー現像手段を有する画像形成要素において、全ての画像形成要素における有色トナーの非画像形成領域に白色トナーを現像することを特徴とする前記第（１）乃至第（４）項のいずれかに記載のフルカラー画像形成装置」、（６）「前記白色トナー現像手段を有する画像形成要素中の有色トナー現像手段と白色トナー現像手段との間に、第３の画像露光手段を設け、感光体全面に光照射を行い、次いで白色トナーによる現像を行うことを特徴とする前記第（５）項に記載のフルカラー画像形成装置」、（７）「前記フルカラー画像形成装置において、第３の画像露光手段による書き込みを、有色トナー像および透明トナー像露光を行わない部分にのみ行うことを特徴とする前記第（５）項に記載のフルカラー画像形成装置」により解決される。